(57)【特許請求の範囲】
【請求項１】
呼の接続制御を行う呼処理プロセッサが複数設けられ、各呼処理プロセッサが交換機内の交換機ネットワークへの通話チャネルの接続制御を行う呼の接続制御方法であって、
制御チャネルを介して前記交換機ネットワークに収容するための通話チャネルの捕捉通知を受け付けたときは、この通話チャネルの前記交換機ネットワークへの収容位置情報を呼処理プロセッサ単位で管理する手段に問い合わせ、得られた収容位置情報に基づいて前記捕捉通知を受け付けた呼処理プロセッサが当該通話チャネルの接続制御を行う
ことを特徴とする呼の接続制御方法。
【請求項２】
基地局変復調装置に接続される音声処理装置を通話チャネルにより交換機内の交換機ネットワークに収容する音声処理装置の収容方法において、
移動機と接続される基地局変復調装置が、空き通話チャネルの中から音声処理装置を収容する通話チャネルの割り当てを行い、制御チャネルを介してこの基地局制御装置を収容する呼処理プロセッサに対してこの割り当てた通話チャネルを通知し、
前記通知を受けた呼処理プロセッサは、前記基地局変復調装置が割り当てた通話チャネルが他の呼処理プロセッサの収容するものであるときは当該他の呼処理プロセッサに対してプロセッサ間通信により当該通話チャネルの交換機ネットワークへの収容位置情報を取得し、収容位置情報に基づいて接続制御を行う
ことを特徴とする音声処理装置の収容方法。
【請求項３】
他の交換機からの局間回線を交換機内の交換機ネットワークに収容する局間回線の収容方法において、
他の交換機が発生した呼に従って当該交換機に対する空き局間回線の割り当てを行い、
制御チャネルを介してこの割り当てた局間回線を通知し、この通知された当該局間回線の交換機ネットワークへの収容位置情報を呼処理プロセッサ単位で管理する手段から収容位置情報を取得し、当該通知を受けた局間回線を収容する呼処理プロセッサが局間回線の交換機ネットワークへの接続制御を行う
ことを特徴とする局間回線の収容方法。
【請求項４】
呼の接続制御を行う複数の呼処理プロセッサを備え、前記各呼処理プロセッサは、通知された通話チャネルを取得した交換機内の交換機ネットワークへの収容位置情報に基づいて接続処理を行う手段を備えた移動通信交換機において、
通話チャネルの交換機ネットワークへの収容位置情報を前記呼処理プロセッサ単位で管理するリソース管理手段を備え、
前記通知を受けた呼処理プロセッサは、通知された通話チャネルの交換機ネットワークへの収容位置情報を前記リソース管理手段から取得して交換機ネットワークへの接続制御を実行する手段を含む
ことを特徴とする移動通信交換機。
【請求項５】
複数の基地局を収容する移動通信交換機であって、
この移動通信交換機は、それぞれが対応する基地局制御装置を収容して呼接続制御を行う複数の呼処理プロセッサと、それぞれ対応する複数の基地局変復調装置を収容し音声処理を行う音声処理装置とを備え、
前記基地局変復調装置は、それぞれ異なる音声処理装置に通話チャネルを割り当て可能であり、
前記呼処理プロセッサは、自呼処理プロセッサが収容する基地局制御装置が制御する基地局の前記基地局変復調装置が他の呼処理プロセッサが収容する基地局制御装置の支配下にある音声処理装置に通話チャネルを割り当てたとき、前記他の呼処理プロセッサにプロセッサ間通信により当該割り当てた通話チャネルの交換機ネットワークへの収容位置情報を問い合わせて、取得した収容位置情報に基づいて通話チャネルの接続を行う接続制御手段を含む
ことを特徴とする移動通信交換機。
【請求項６】
割り当てられた局間回線を交換機内の交換機ネットワークへ接続する呼接続制御を行う呼処理プロセッサを複数備えた移動通信交換機において、
前記交換機ネットワークへの局間回線の収容位置情報を呼処理プロセッサ単位で管理するリソース管理手段を備え、
他交換機から通知された割り当てされた空き局間回線の収容位置情報を前記リソース管理手段に問い合わせる手段と、
前記問い合わせる手段によって得られた局間回線の収容位置情報に基づいて呼の接続制御を行う呼処理プロセッサを決定し当該呼処理プロセッサに制御を行わせる手段と
を備えたことを特徴とする移動通信交換機。
【請求項７】
複数のプロセッサを備える移動通信交換機にインストールされることにより、
前記プロセッサを、通話チャネルの接続制御を行う呼処理プロセッサとして動作させ、
この呼処理プロセッサを、制御チャネルを介して音声処理装置を交換機ネットワークに収容するための通話チャネルの通知を受け付けたときは、当該通知された通話チャネルが他の呼処理プロセッサに収容されるものであるときは、当該他の呼処理プロセッサに対してプロセッサ間通信により当該通話チャネルの交換機ネットワークへの収容位置情報を問い合わせ、得られた収容位置情報に基づいて音声処理装置の接続制御を行う呼処理プロセッサとして動作させることを特徴とするプログラム。
【請求項８】
複数のプロセッサを備える移動通信交換機にインストールされることにより、
前記プロセッサを、割り当てられた局間回線の接続制御を行う呼処理プロセッサとして動作させ、
通知された局間回線の交換機内の交換機ネットワークの収容位置情報を前記呼処理プロセッサ単位で管理するリソース管理手段の情報に基づいて通知された局間回線の接続制御を行う呼処理プロセッサを決定し、当該呼処理プロセッサにより通知された局間回線の接続制御を行う呼処理プロセッサとして動作させる
ことを特徴とするプログラム。
【発明の詳細な説明】
【０００１】
【発明の属する技術分野】
本発明は移動通信方式での基地局装置の交換機ネットワークへの収容制御に関する。また、本発明は交換機間の局間回線の交換機ネットワークへの収容制御に関する。本発明は、多数の無線制御エリアを収容する大容量ディジタル移動通信交換機（ＮＭＬＳ）に利用される。
【０００２】
【従来の技術】
従来のＰＤＣ（ Personal Digital Cellular Telecommunication System ）方式における加入者交換機能、中継交換機能、関門交換機能を包含して多数の無線制御エリアを収容する大容量ディジタル移動通信交換機（ＮＭＬＳ）が開発された。
【０００３】
このディジタル移動通信交換機では、加入者交換機能、中継交換機能を実現するために複数のプロセッサを備えたマルチプロセッサ構成となっている。
【０００４】
ここで、ディジタル移動通信交換機の基地局関連装置の収容についてみた場合、音声符号復号化回路などの音声処理装置（ＳＰＥ）は同一無線エリア内の基地局制御装置（ＢＣＥ）を収容する呼処理プロセッサ（ＣＬＰ）と同じ呼処理プロセッサに収容させることが条件になっている。このとき、一つの基地局制御装置（ＢＣＥ）の能力がチャネルで７２０チャネル程度、１音声処理装置当たりの最大チャネル数が８６４チャネルであり、１呼処理プロセッサ当たりの処理能力を考慮すると、呼処理プロセッサ：基地局制御装置：音声処理装置の比が、１：１：１となる。
【０００５】
【発明が解決しようとする課題】
しかし、音声処理装置は分散収容が必要なため、分散収容を考慮すると１：１：２となり、最大チャネル数の半分程度しか使用しない音声処理装置を２台設置する必要がでてくる。
【０００６】
図６は、そのような音声処理装置の配置例を示すもので、各呼処理プロセッサに収容可能なチャネル数に収まるように、基地局変復調装置を配置し、さらに基地局変復調装置用回線（ＭＤＥ回線）を分散収容するように音声処理装置を各呼処理プロセッサに配置すると、１音声処理装置当たりの使用チャネル数が最大チャネル数の半分位になってしまい、音声処理装置を無駄に配置することになる。
【０００７】
本発明はこのような問題を解決するもので、音声処理装置の分散収容時の無駄設置を防止して、音声処理装置の設置コストを低減できる収容方法および交換機を提供することを目的とする。また、本発明は、音声処理装置の配置が呼処理プロセッサの配置によって制限されずに、音声処理装置を交換機に柔軟に収容できるように接続制御することが可能な収容方法および交換機を提供することを目的とする。また、本発明は、交換機間の局間回線の収容制御についても音声処理装置の収容制御と同じように対応する呼処理プロセッサで接続制御を行うことができるようにする交換機およびその接続方法を提供することを目的とする。
【０００８】
【課題を解決するための手段】
通話チャネルの交換機内のスイッチング機能を担う交換機ネットワークへの接続制御は、マルチプロセッサ構成の呼処理プロセッサが担う。このとき、各呼処理プロセッサの接続制御は、すべての通話チャネルを行うのではなく、交換機ネットワークへの収容範囲は、呼処理プロセッサ単位で管理される。
【０００９】
基地局装置側についてみた場合、基地局変復調装置は複数の音声処理装置に収容可能なように、音声処理装置は分散設置され、基地局変復調装置は、対応する基地局制御装置が収容される呼処理プロセッサとはべつの呼処理プロセッサに収容される基地局制御装置に対応する音声処理装置にも収容可能となっている。
【００１０】
ここで、移動機が通信を行うための通話チャネルは、基地局装置（基地局変復調装置）が空き無線通話チャネルを捕捉して割り当てる。この割り当てられた通話チャネルは、制御チャネルを介して基地局制御装置、呼処理プロセッサに通知される。この割り当てられた通話チャネルの通知（捕捉要求）を受けた呼処理プロセッサは通知された通話チャネルの交換機側のスイッチング部である交換機ネットワークとの接続制御を実行するが、通知された通話チャネルの交換機のネットワーク収容位置を知る必要がある。このネットワーク収容位置とは、交換機のスイッチング部に収容する位置をいい、交換機ネットワークのインタフェース番号に相当する。基地局変復調装置は、呼が発生すると空き通話チャネルを割り当てて、この割り当てた通話チャネルの番号を制御チャネルを介して交換機に通知する。呼処理プロセッサは、この通知された通話チャネルを捕捉するために自呼処理プロセッサが管理している回線状態の管理情報から通知された通話チャネルが自プロセッサで収容しているものか、他の呼処理プロセッサが収容しているものかを判断し、他の呼処理プロセッサが収容している場合には、当該呼処理プロセッサに通話チャネルの収容位置を問い合わせ、その収容位置情報に基づいて通知のあった通話チャネルを接続して、音声処理装置を交換機ネットワークに収容する。
【００１１】
他の交換機からの局間回線の収容制御についても同様で、交換機ネットワークへの局間回線の接続制御も同様に呼処理プロセッサが行う。このとき、他交換機から割り当てた空き局間回線の通知がなされると、当該局間回線を収容する位置情報と、その接続制御を行う呼処理プロセッサを決定する。この呼処理プロセッサの決定は、交換機ネットワークへの収容位置情報を管理するリソース管理手段により、どの呼処理プロセッサが割り当てられた局間回線を収容しているかを通知された局間回線の番号により決定できるので、この決定された呼処理プロセッサが交換機ネットワークへの接続制御を実行する。
【００１２】
なお、本発明は、マルチプロセッサ方式の移動通信交換機にインストールすることにより、このプロセッサを上記の動作を行う呼処理プロセッサして動作させるプログラムとしても実施できる。
【００１３】
このようにすることで、音声処理装置を分散収容するときに無駄に配置することはなく、音声処理装置の設備コストを低減することができる。また、局間回線の分散収容による接続制御においても、無駄なく回線の接続制御を行うことができる。
【００１４】
すなわち、本発明は、呼の接続制御を行う呼処理プロセッサが複数設けられ、各呼処理プロセッサが交換機内の交換機ネットワークへの通話チャネルの接続制御を行う呼の接続制御方法であって、制御チャネルを介して前記交換機ネットワークに収容するための通話チャネルの捕捉通知を受け付けたときは、この通話チャネルの前記交換機ネットワークへの収容位置情報を呼処理プロセッサ単位で管理する手段に問い合わせ、得られた収容位置情報に基づいて前記呼処理プロセッサが当該通話チャネルの接続制御を行うことを特徴とする。
【００１５】
また、本発明は、基地局変復調装置に接続される音声処理装置を通話チャネルにより交換機内の交換機ネットワークに収容する音声処理装置の収容方法において、移動機と接続される基地局変復調装置が、空き通話チャネルの中から音声処理装置を収容する通話チャネルの割り当てを行い、制御チャネルを介してこの基地局制御装置を収容する呼処理プロセッサに対してこの割り当てた通話チャネルを通知し、前記呼処理プロセッサは、前記基地局変復調装置が割り当てた通話チャネルが他の呼処理プロセッサの収容するものであるときは当該他の呼処理プロセッサに対してプロセッサ間通信により当該通話チャネルの交換機ネットワークへの収容位置情報を取得し、収容位置情報に基づいて接続制御を行うことを特徴とする。
【００１６】
また、本発明は、他の交換機からの局間回線を交換機内の交換機ネットワークに収容する局間回線の収容方法において、他の交換機が発生した呼に従って当該交換機に対する空き局間回線の割り当てを行い、制御チャネルを介してこの割り当てた局間回線を通知し、この通知された当該局間回線の交換機ネットワークへの収容位置情報を呼処理プロセッサ単位で管理する手段から収容位置情報を取得し、当該局間回線を収容する呼処理プロセッサが局間回線の交換機ネットワークへの接続制御を行うことを特徴とする。
【００１７】
また、本発明は、呼の接続制御を行う複数の呼処理プロセッサを備え、前記各呼処理プロセッサは、通知された通話チャネルを取得した交換機内の交換機ネットワークへの収容位置情報に基づいて接続処理を行う手段を備えた移動通信交換機において、通話チャネルの交換機ネットワークへの収容位置情報を前記呼処理プロセッサ単位で管理するリソース管理手段を備え、前記呼処理プロセッサは、通知された通話チャネルの交換機ネットワークへの収容位置情報を前記リソース管理手段から取得して交換機ネットワークへの接続制御を実行する手段を含むことを特徴とする。
【００１８】
また、本発明は、複数の基地局を収容する移動通信交換機であって、この移動通信交換機は、それぞれが対応する基地局制御装置を収容して呼接続制御を行う複数の呼処理プロセッサと、それぞれ対応する複数の基地局変復調装置を収容し音声処理を行う音声処理装置とを備え、前記基地局変復調装置は、それぞれ異なる音声処理装置に通話チャネルを割り当て可能であり、前記呼処理プロセッサは、自呼処理プロセッサが収容する基地局制御装置が制御する基地局の前記基地局変復調装置が他の呼処理プロセッサが収容する基地局制御装置の支配下にある音声処理装置に通話チャネルを割り当てたとき、前記他の呼処理プロセッサにプロセッサ間通信により当該割り当てた通話チャネルの交換機ネットワークへの収容位置情報を問い合わせて、取得した収容位置情報に基づいて通話チャネルの接続を行う接続制御手段を含むことを特徴とする。
【００１９】
また、本発明は、割り当てられた局間回線を交換機内の交換機ネットワークへ接続する呼接続制御を行う呼処理プロセッサを複数備えた移動通信交換機において、前記交換機ネットワークへの局間回線の収容位置情報を呼処理プロセッサ単位で管理するリソース管理手段を備え、他交換機から通知された割り当てされた空き局間回線の収容位置情報を前記リソース管理手段に問い合わせる手段と、  前記問い合わせる手段によって得られた局間回線の収容位置情報に基づいて呼の接続制御を行う呼処理プロセッサを決定し当該呼処理プロセッサに制御を行わせる手段とを備えたことを特徴とする。
【００２０】
また、本発明は、複数のプロセッサを備える移動通信交換機にインストールされることにより、前記プロセッサを、通話チャネルの接続制御を行う呼処理プロセッサとして動作させ、この呼処理プロセッサを、制御チャネルを介して音声処理装置を交換機ネットワークに収容するための通話チャネルの通知を受け付けたときは、当該通話チャネルが他の呼処理プロセッサに収容されるものであるときは、当該他の呼処理プロセッサに対してプロセッサ間通信により当該通話チャネルの交換機ネットワークへの収容位置情報を問い合わせ、得られた収容位置情報に基づいて音声処理装置の接続制御を行う呼処理プロセッサとして動作させることを特徴とする。
【００２１】
また、本発明は、複数のプロセッサを備える移動通信交換機にインストールされることにより、前記プロセッサを、割り当てられた局間回線の接続制御を行う呼処理プロセッサとして動作させ、通知された局間回線の交換機内の交換機ネットワークの収容位置情報を前記呼処理プロセッサ単位で管理するリソース管理手段の情報に基づいて通知された局間回線の接続制御を行う呼処理プロセッサを決定し、当該呼処理プロセッサにより通知された局間回線の接続制御を行う呼処理プロセッサとして動作させることを特徴とする。
【００２２】
【発明の実施の形態】
以下図面を参照して本発明の実施の形態を説明する。
【００２３】
（第一実施例）
図１は、本発明が実施される交換機（大容量ディジタル移動通信交換機）の基地局関連装置の配置を示すものである。
【００２４】
ここで、交換機は複数の基地局を収容しており、呼の接続制御を行う呼処理プロセッサ（ＣＬＰ）、音声符号復号回路を備える音声処理装置をそれぞれ複数備えている。この図１は、呼処理プロセッサ（ＣＬＰ）と基地局制御装置（ＢＣＥ）、音声処理装置（ＳＰＥ）と呼処理プロセッサ（基地局制御装置と無線制御エリアの関係を示している。すなわち、基地局変復調装置（ＭＤＥ）１６、１７、１８の信号路面を制御する基地局制御装置（ＢＣＥ）１１は同一呼処理プロセッサ（ＣＬＰ＃１）１２に収容される。一方、基地局変復調装置（ＭＤＥ）１６、１７、１８の通話路面の収容は音声処理装置（ＳＰＥ）１４と音声処理装置１５に分散収容し、音声処理装置１４は呼処理プロセッサ１２、音声処理装置１５は呼処理プロセッサ１３にそれぞれ収容して、それぞれの呼処理プロセッサ１２、１３が通話チャネルの接続制御を行う。
【００２５】
ここで、本発明は、基地局変復調装置１７が音声処理装置１５に割り当てた通話チャネルを選択し、信号を基地局制御装置１１に送信し、その信号を受信した呼処理プロセッサ１２で異なる呼処理プロセッサ１３収容の音声処理装置１５の通話チャネルの接続制御を行うところに特徴がある。
【００２６】
図２は、本発明の実施例での基地局変復調装置（ＭＤＥ）、音声処理装置（ＳＰＥ）、基地局制御装置（ＢＣＥ）、呼処理プロセッサ（ＣＬＰ）の収容と、交換機ネットワークへの収容関係を説明する図である。
【００２７】
交換機ネットワーク（ＮＷ）は、マルチプロセッサ構成での呼処理プロセッサ（ＣＬＰ）の背後にあるＨＵＢや音声処理装置を収容する回線インタフェースサービス制御回路（ＳＩＦ）、通話路スイッチ（ＳＷ）の構成を指すもので、交換機内におけるスイッチングを実行するスイッチング部である。基地局装置側からみると、呼処理プロセッサ（ＣＬＰ）、音声処理装置（ＳＰＥ）を収容する交換機のスイッチング部を示している。呼処理プロセッサ２１１、２１２は、交換機の呼制御を担うもので、通話チャネルの切替制御等の接続制御を行う接続制御部２２１、２２２、通話チャネル等のリソース管理を行うリソース管理部２３１、２３２、通話チャネルの収容位置、使用中か空き状態かの回線状態情報を保持する回線状態保持部２４１、２４２を備える。また、基地局制御装置(ＢＣＥ）２５１、２５２は、それぞれ収容される呼制御プロセッサ２１１、２１２の支配下にある。また音声処理装置２６１、２６２は、それぞれの収容位置で通話チャネルにより交換機ネットワーク２０に収容され、基地局変復調装置２７１、２７２はそれぞれ音声処理装置２６１、２６２に通話チャネルで接続され、基地局変復調装置２７１、２７２は制御チャネルにより基地局制御装置２５１、２５２、呼処理プロセッサ２１１、２１２にそれぞれ接続される。
【００２８】
移動機が通信を行うための通話チャネルは、基地局変復調装置２７１が空き通話チャネルから使用する通話チャネルを割り当てし、制御チャネルによって基地局制御装置２５１、呼処理プロセッサ制御装置２１１へ通知される。接続制御部２２１では、通知された通話チャネルをリソース管理部２３１に通知し、通話ｃｈに対するネットワーク収容位置を回線状態保持部２４１から収集する。回線状態保持部２４１では同時に対応するネットワーク収容位置を塞がりにし、該当呼で使用中状態として管理する。接続制御部２２１は、収集されたネットワーク収容位置を元に、接続制御を実行する。
【００２９】
また、リソース管理部２３１と回線状態保持部２４１は、呼処理プロセッサ２１１収容に閉じた音声処理装置２６１に対応した通話チャネル／ネットワーク収容位置の管理を行っている。従って、別の呼処理プロセッサ制御装置２１２収容の音声処理装置２６２に対応した通話チャネル／ネットワーク収容位置の管理は、別の呼処理プロセッサ制御装置２１２のリソース管理部２３２と回線状態保持部２４２が行っている。
【００３０】
ここで基地局変復調装置が他の呼処理プロセッサ配下の音声処理装置に通話チャネルを割り当てて接続制御を行う場合の接続配置の構成例を図３に示す。
【００３１】
ここで、図２と同様に、符号３０は交換機のネットワーク、符号３１１、３１２は交換機の呼処理プロセッサ制御装置、符号３２１、３２２は接続制御部、３３１、３３２はリソース管理部、３４１、３４２は回線状態保持部、３５１、３５２は基地局制御装置（BCE）、３６１、３６２は音声処理装置（SPE）、３７１、３７２は基地局変復調装置（MDE）を示す。
【００３２】
ここで、音声処理装置（SPE）の分散収容を行うため、基地局変復調装置３７１から音声処理装置３６１、３６２に通話チャネルの分配を行う。同様に基地局変復調装置３７２から音声処理装置３６１、３６２にも通話チャネルの分配を行う。
【００３３】
基地局変復調装置３７１で音声処理装置３６２向けの通話チャネルが割り当てられ、その制御信号は制御チャネルにより基地局制御装置３５１を通って、呼処理プロセッサ３１１へ通知される。制御信号を受信した接続制御部３２１は、リソース管理部３３１へ加入者線（ネットワーク収容位置）の捕捉要求を行う。リソース管理部３３１は回線状態保持部３４１で保持している管理情報から、通知された通話チャネルは呼処理プロセッサ３１２収容であることが判明するため、呼処理プロセッサ３１２のリソース管理部３３２に通信する。このようにして、呼処理プロセッサ３１２収容のネットワーク収容位置情報を得る。
【００３４】
この図３の動作を図４に示す図４に示すリソース管理部の制御フロー図と回線状態保持部の管理データを用いて説明する。
【００３５】
制御信号を受信した呼処理プロセッサ４０１の接続制御部４０２は、リソース管理部４０３へ加入者線（ネットワーク収容位置）の捕捉要求を行う。リソース管理部４０３は回線状態保持部４０４から収容プロセッサ番号とネットワーク収容位置情報を収集する。リソース管理部４０３は、収集した収容プロセッサ番号と自プロセッサ番号を比較（４０５）し、自プロセッサの場合は収集したネットワーク収容位置情報を接続制御部へ返送する（４０６）。他プロセッサの場合は、他プロセッサへプロセッサ間通信を行い、ネットワーク収容位置情報を問い合わせネットワーク収容位置情報を取得する（４０７）。他呼処理プロセッサ４１０のリソース管理部４１１は回線状態保持部４１２から収容プロセッサ番号とネットワーク収容位置情報を収集する。リソース管理部４１１は、収集した収容プロセッサ番号と自プロセッサ番号を比較（４１３）すると、自プロセッサの為、収集したネットワーク収容位置情報をプロセッサ間通信元へ返送する（４１４）。接続制御部４０２は得たネットワーク収容位置情報により通知された通話チャネルの接続を行う。ここで、リソース管理部は、リソース集中管理用プロセッサで集中管理しているが、そのテーブルは呼処理プロセッサごとに行うため、他の呼処理プロセッサが収容する通話チャネルの収容位置情報は他の呼処理プロセッサに対して問い合わせる処理になる。
【００３６】
上述した実施例においては、音声処理装置（ＳＰＥ）、基地局制御装置（ＢＣＥ）の配置が、呼処理プロセッサ（ＣＬＰ）のソフトウェア処理によって制限されないように、リソース管理部と回線状態保持部で管理している通話チャネル、ネットワーク収容位置の他に収容する呼処理プロセッサも管理する事で説明したが、局間回線の収容においても同様に実施できる。
【００３７】
（第二実施例）
この場合、図５に示すように、局間回線についても分散収容しており、局間回線はそれぞれ収容する呼処理プロセッサが決まっており、出接続の場合には、収容している呼処理プロセッサがその接続制御を行う。他の交換機からの入接続の場合、その制御信号は、共通信号線により共通信号制御プロセッサ（ＣＳＰ）に入力されるので、この通知された局間回線を収容する呼処理プロセッサを決定する。このとき、呼処理プロセッサ単位で交換機ネットワークへの収容位置情報を管理するリソース管理手段に対して問い合わせを行うことで、収容位置情報を収集するとともに通知された局間回線を収容する呼処理プロセッサを決定し、決定された呼処理プロセッサがその収容位置情報に基づいて局間回線の接続制御を行う。
【００３８】
例えば図５（ａ）のように、Ａ局との局間回線を呼処理プロセッサＣＬＰ＃１が収容し、Ｂ局との局間回線を呼処理プロセッサＣＬＰ＃２が収容しているものとする。このとき、図５（ｂ）に示すようにＢ局が局間回線＃２を捕捉し、Ａ局が局間回線＃３を捕捉してその捕捉要求を共通信号制御プロセッサ（ＣＳＰ）に通知したとき、その局間回線の番号により、当該局間回線を収容する呼プロセッサを決定して、Ｂ局との局間回線＃２は呼処理プロセッサＣＬＰ＃１が接続処理を行い、Ａ局との局間回線＃３は呼処理プロセッサＣＬＰ＃２が接続処理を行う。
【００３９】
また、制御する局間回線のリソース管理部と回線状態保持部の管理方法は図２の場合と同じである。
なお、マルチプロセッサ方式の移動通信交換機に、プログラムをインストールすることにより上記実施例の交換機として動作させることができる。すなわち、プロセッサを呼処理プロセッサとして動作させ、この呼処理プロセッサを、制御チャネルを介して音声処理装置を交換機ネットワークに収容するための通話チャネルの捕捉要求を受け付けたときは、当該通話チャネルが自呼処理プロセッサが収容する通話チャネルでないときは、プロセッサ間通信により当該通話チャネルを管理する呼処理プロセッサに問い合わせ、その収容位置情報を取得して接続制御を行う呼処理プロセッサとして動作させることができる。
【００４０】
このプログラムは記憶媒体に記憶させて交換機にインストールし、あるいは通信回線を介してインストールすることができる。
【００４１】
【効果の説明】
本発明によれば、音声処理装置（ＳＰＥ）の分散収容時の無駄な設置を防止し、音声処理装置の設備コストを低減化できる。また、局間回線の分散収容においてもソフトウェアによる処理によってコストを低減できる。
【図面の簡単な説明】
【図１】本発明の交換機の基地局関連装置の配置例を示す図。
【図２】本発明第一実施例の構成を示す図。
【図３】本発明第一実施例での通話チャネルの設定例を示す図。
【図４】第一実施例の通話チャネルの接続動作を説明する図。
【図５】局間回線を接続する第二実施例の構成を示す図。
【図６】従来例の基地局関連装置の配置例を示す図。
【符号の説明】
１１  基地局制御装置（ＢＣＥ）
１２、１３  呼処理プロセッサ（ＣＬＰ）
１４、１５  音声処理装置（ＳＰＥ）
１６、１７、１８  基地局変復調装置（ＭＤＥ）
２０  交換機ネットワーク
２２１、２２２、２３１、３２２  接続制御部
２３１、２３２、３３１、３３２  リソース管理部
２４１、２４２、３４１、３４２  回線状態保持部
【図１】
0003761431.tif 000002
【図２】
0003761431.tif 000003
【図３】
0003761431.tif 000004
【図４】
0003761431.tif 000005
【図５】
0003761431.tif 000006
【図６】
0003761431.tif 000007